(57)【要約】各種資産の保守記録を取得して保持するシステムと技術が記載されている。ある実施の形態においては、計算機器が計算機器の近傍に置かれたときに計算機器は計測機器と無線で連結されうる。被測定機器（ＤＵＴ）の一又はそれ以上のパラメータの計測時に、計測機器は計測データ形式で計測されたパラメータを計算機器に提供する。いくつかの実施の形態において、計算機器は計測されたパラメータを計測結果が得られた対応するＤＵＴに関連付けすると共に、以後のアクセスのために関連付けされた計測パラメータを、たとえば、サービスプロバイダーに提供する。他の実施の形態においては、計測機器自体が計測パラメータをＤＵＴに関連付けすると共に、関連付けされた計測パラメータをサービスプロバイダーに提供するように構成されている。
2014529730.tif 000002
【特許請求の範囲】
【請求項１】
計測機器の近傍に計算機器を配置することと、
該計算機器と前記計測機器の間に通信リンクを確立することと、
該通信リンクの確立に先立って又はその後に、前記計測機器を用いて被測定機器（ＤＵＴ）の一又はそれ以上のパラメータを計測して計測データを得ることと、
前記計測機器から前記計算機器へ計測データを送ることと、
前記計測機器から受信した計測データと選択された被測定機器を関連付けして関連付けされた計測データを発生することと、
その関連付けされた計測データをサービスプロバイダーにネットワークを介して提供することからなる保守記録を取得して保持するための方法。
【請求項２】
前記計測機器の近傍に前記計算機器が配置されたときに前記計算機器と前記計測機器の間の通信リンクの確立が自動的に行われる前記請求項１に記載の方法。
【請求項３】
前記計算機器への入力時に前記計算機器と前記計測機器の間の通信リンクの確立が行われる前記請求項１に記載の方法。
【請求項４】
前記計測機器が、マルチメータとオシロスコープと熱画像システムと温度計と校正器具とケーブルテスターとからなる群のうちから選択される前記請求項１に記載の方法。
【請求項５】
一又はそれ以上のパラメータが、電気的パラメータと温度と圧力と可視光線波と不可視光線波とからなる群のうちから選択される前記請求項１に記載の方法。
【請求項６】
更に、計算機器上で、前記関連付けされた計測データを表示することからなる前記請求項１に記載の方法。 
【請求項７】
前記計測機器から受信した計測データと選択された被測定機器を関連付けして関連付けされた計測データを発生することが、計算機器で、ＤＵＴ名とＤＵＴタイプとＤＵＴ位置のうちの少なくとも一つを含むＤＵＴ記録を作成することを含んでいる前記請求項１に記載の方法。
【請求項８】
更に、被測定機器の試験に関連付けされたデータを入力し、該データとＤＵＴ記録を関連付けすることからなる前記請求項７に記載の方法。
【請求項９】
前記機器の試験に関連付けされたデータが、被測定機器のステータスと被測定機器の問題の重要度と試験結果に基づいてとられるべき一又はそれ以上の必要なアクションと記録されるべき必要な一又はそれ以上のノートと他の技術者に役立つことがあり得る別の情報からなる群から選択される前記請求項８に記載の方法。
【請求項１０】
前記機器の試験に関連付けされたデータが、オーディオフォーマットとビデオフォーマットとテキストフォーマットのうちの一又はそれ以上のフォーマットである前記請求項８に記載の方法。
【請求項１１】
前記計測機器から受信した計測データと選択された被測定機器を関連付けして関連付けされた計測データを発生することが、前記サービスプロバイダーからＤＵＴに対応するＤＵＴ記録をリトリーブすることを含んでいる前記請求項１記載の方法。
【請求項１２】
前記計測機器から受信した計測データと選択された被測定機器を関連付けして関連づけされた計測データを発生することが、
自動化システムを用いて、ＤＵＴの特定情報を取得することと、
該特定情報に基づいて、前記サービスプロバイダーからＤＵＴに対応するＤＵＴ記録をリトリーブすることを含んでいる前記請求項１に記載の方法。
【請求項１３】
前記計測機器から受信した計測データと選択された被測定機器を関連付けして関連づけされた計測データを発生することが、計算機器で、機器のリストから被測定機器を選択することを含んでいる前記請求項１に記載の方法。
【請求項１４】
更に、前記サービスプロバイダーから、ＤＵＴに対応するＤＵＴ記録であって、以前の試験から集められた情報を含むＤＵＴ記録をリトリーブすることと、
該以前の試験から集められた情報と関連付けされた計測データを比較することからなる前記請求項１に記載の方法。
【請求項１５】
計測機器が画像システムであって、
更に、被測定機器に対する画像システムの基準点を前記サービスプロバイダーから取得した基準画像と実質的に整合されるように整合する前記請求項１に記載の方法。
【請求項１６】
被測定機器（ＤＵＴ）の少なくとも一つのパラメータを計測するように構成された計測機器と、
該計測機器と通信状態におかれるように構成された計算機器であって、前記計測機器が前記計算機器との連結に先立って、又は、その最中において前記被測定機器の少なくとも一つのパラメータを計測するが、前記計算機器は、また、前記計測機器から少なくとも一つの計測パラメータを受信し、その少なくとも一つの計測パラメータと被測定機器を関連付けして少なくとも一つの関連付けされた計測パラメータを取得する計算機器と、
前記計算機器と通信されるサービスプロバイダーであって、関連付けされた計測パラメータを受信し、その関連付けされた計測パラメータを保存するように構成されているサービスプロバイダーとからなる保守記録を取得して保持するためのシステム。
【請求項１７】
前記計測機器が、マルチメータとオシロスコープと熱画像システムと温度計と校正器具とケーブルテスターとからなる群のうちから選択される前記請求項１６に記載のシステム。
【請求項１８】
少なくとも一つのパラメータが、電気的パラメータと温度と圧力と可視光線波と不可視光線波とからなる群のうちから選択される前記請求項１６に記載のシステム。
【請求項１９】
前記計算機器が少なくとも一つの計測パラメータと被測定機器を関連付けして少なくとも一つの関連付けされた計測パラメ−タであって、
ＤＵＴ名とＤＵＴタイプとＤＵＴ位置のうちの少なくとも一つを含むＤＵＴ記録を作成することか、
前記サービスプロバイダーからＤＵＴに対応するＤＵＴ記録をリトリーブすることか、
自動化システムを用いて、ＤＵＴの特定情報を取得することと、該特定情報に基づいて、前記サービスプロバイダーからＤＵＴに対応するＤＵＴ記録をリトリーブすることか、
前記計算機器によって発生されるか又は前記サービスプロバイダーからリトリーブされた機器のリストから被測定機器を選択することのうちの一つによって発生する計測パラメ−タを取得するように構成されている前記請求項１６に記載のシステム。
【請求項２０】
計算機器の実行に応答して、
計測機器が近くにある特に前記計算機器と前記計測機器の間にデータ通信リンクを確立させ、
被測定機器（ＤＵＴ）の一又はそれ以上の計測パラメータである計測データを前記計測機器から受信させ、
前記計測機器から受信した計測データを被測定機器に関連付けして関連付けされた計測データを発生させ、
関連付けされた計測データをネットワークを介してサービスプロバイダーに提供させることを計算機器に行わせる命令を保存させるコンピュータ判読可能な記憶媒体。
【請求項２１】
更に、計算機器の実行に応答して、
機器のリストから被測定機器を選択するか、
ＤＵＴ名とＤＵＴタイプとＤＵＴ位置のうちの少なくとも一つを含むＤＵＴ記録を作成するか、
前記サービスプロバイダーからＤＵＴに対応するＤＵＴ記録をリトリーブすることか、
自動化システムを用いて、ＤＵＴの特定情報を取得することと、該特定情報に基づいて、前記サービスプロバイダーからＤＵＴに対応するＤＵＴ記録をリトリーブすることかのいずれかを計算機器に行わせる命令を保存させる前記請求項２０に記載のコンピュータ判読可能な記憶媒体。
【請求項２２】
更に、計算機器の実行に応答して、
前記計算機器が前記関連付けされた計測データを表示するようにする命令を保存させる前記請求項２０に記載のコンピュータ判読可能な記憶媒体。
【請求項２３】
更に、計算機器の実行に応答して、
前記計算機器が、前記サービスプロバイダーからＤＵＴに対応するＤＵＴ記録であって、以前の試験から集めた情報を含むＤＵＴ記録をリトリーブすることと、
該以前の試験から集めた情報を前記関連付けされた計測データと比較するようにする命令を保存させる前記請求項２０に記載のコンピュータ判読可能な記憶媒体。
【請求項２４】
更に、計算機器の実行に応答して、
前記計算機器が、被測定機器に対する画像システムの基準点を前記サービスプロバイダーから取得した基準画像と実質的に整合されるように整合する命令を保存させる前記請求項２０に記載のコンピュータ判読可能な記憶媒体。
【請求項２５】
被測定機器の少なくとも一つのパラメータを計測することと、
少なくとも一つの計測されたパラメータをサービスプロバイダーに送信することと、
サービスプロバイダーから被測定機器に対応する計測データを受信することと、
少なくとも一つの計測されたパラメータを計測データと比較することを含む方法。
【請求項２６】
被測定機器の画像を得るように構成された画像センサーと、
ディスプレイと、
プロセッサーと、
該プロセッサーに連結されたメモリと、
該メモリに内蔵されて前記プロセッサーによって実行されるように構成されたサービスプロバイダーインタフェースを含む計測機器を含む熱画像システムであって、前記サービスプロバイダーインタフェースは、
前記プロセッサーによる実行時に画像センサーが基準画像と実質的に調整可能にする調整モジュールと、
前記プロセッサーによる実行時に選択可能な機器のリストをディスプレイに提供する関連付けモジュールであって、前記プロセッサーによる実行時に選択された機器を画像に関連付けして関連付けされた画像を得る関連付けモジュールとからなり、
更に、熱画像システムが前記計測機器と通信するサービスプロバイダーであって、前記関連付けされた画像を受信するように構成されたサービスプロバイダーからなる熱画像システム。
【発明の詳細な説明】
【関連出願に対するクロスレフェレンス】
【０００１】
本願は、ここに引用によって組み入れられる、２０１１年８月３日に提出された米国仮出願第６１／５１４８４２号の利益を権利主張する。
【背景技術】
【０００２】
電気設備や機械設備のような資産は、多様な用途に用いられ、そして、規定通りの保守が一般に必要とされる。その資産を保守して、所定のパラメータの範囲内でその資産が作動していることを確認するために、計測機器及び／又は校正機器がその資産の現状の作動パラメータを測定するために使用されることがある。たびたび、計測機器及び／又は校正機器によって発生された計測データは一定時間に亘ってモニターされて、資産運転のより詳細な理解を提供する。
【発明の開示】
【発明が解決しようとする課題】
【０００３】
所定の時間に亘って計測データを保持することは難しい場合がある。特に、各種のタイプの資産が存在する場合、多くの資産が存在する場合、様々な用途の資産が存在する場合には、難しい場合がある。
【課題を解決するための手段】
【０００４】
この発明の開示は、簡略化された形式での概念選択を導入するために提供されるが、それは「詳細な説明」において以下に詳述される。この発明の開示は、権利主張される主題のキーとなる特徴を特定することを意図するものではなく、また、権利主張される主題の範囲を決定するための助けとして使用されることを意図するものでもない。
【０００５】
本開示事項の一側面によると、保守記録を取得して保持するための方法が提供される。その方法は、計測機器の近傍に計算機器を配置することと、計算機器と計測機器の間に通信リンクを確立することと、通信リンク確立に先だって又はその後に、計測機器を用いて被測定機器（ＤＵＴ）の一又はそれ以上のパラメータを計測して、計測データを得ることと、計測機器から計算機器へ計測データを送ることと、計測機器から受信した計測データと選択された被測定機器を関連付けして関連付けされた計測データを発生することと、その関連付けされた計測データをサービスプロバイダーにネットワークを介して提供することを含んでいる。
【０００６】
本開示事項の別の側面によると、保守記録を取得して保持するためのシステムが提供される。このシステムは、被測定機器（ＤＵＴ）の少なくとも一つのパラメータを計測するように構成された計測機器と、計測機器と通信状態におかれるように構成された計算機器を含む。いくつかの実施の形態においては、計測機器は、計算機器との連結に先立って、又は、その最中において被測定機器の少なくとも一つのパラメータを計測する。他の実施の形態においては、計算機器は、また、計測機器から少なくとも一つの計測パラメータを受信し、その少なくとも一つの計測パラメータと被測定機器を関連付けして少なくとも一つの計測パラメータを取得するように構成されている。このシステムは、また、計算機器と通信されるサービスプロバイダーも含んでいる。いくつかの実施の形態において、サービスプロバイダーは、関連付けされた計測パラメータを受信し、その関連付けされた計測パラメータを保存するように構成されている。
【０００７】
本開示事項の別の側面によると、コンピュータ判読可能な記憶媒体が提供される。コンピュータ判読可能な記憶媒体は、計算機器の実行に応答して、（１）計測機器が近くにある特に計算機器と計測機器の間にデータ通信リンクを確立させ、（２）被測定機器（ＤＵＴ）の一又はそれ以上の計測パラメータである計測データを計測機器から受信させ、（３）計測機器から受信した計測データを被測定機器に関連付けして関連付けされた計測データを発生させ、（４）関連付けされた計測データをネットワークを介してサービスプロバイダーに提供させることを計算機器に行わせる、そこに保存した命令を含んでいる。本開示事項のまた別の側面によると、方法が提供される。その方法は、被測定機器の少なくとも一つのパラメータを測定することと、少なくとも一つの計測されたパラメータをサービスプロバイダーに送信することと、サービスプロバイダーから被測定機器に対応する計測データを受信することと、少なくとも一つの計測されたパラメータを計測データと比較することを含む。
【０００８】
本開示事項の更に別の側面によると、熱画像システムが提供される。このシステムは、被測定機器の画像を得るように構成された画像センサーと、ディスプレイと、プロセッサーと、そのプロセッサーに連結されたメモリと、メモリに内蔵されてプロセッサーによって実行されるように構成されたサービスプロバイダーインタフェースを含む計測機器を含んでいる。ある実施の形態においては、サービスプロバイダーインタフェースは、（１）プロセッサーによる実行時に画像センサーが基準画像と実質的に調整可能にする調整モジュールと（２）プロセッサーによる実行時に選択可能な機器のリストを提供する関連付けモジュールであって、プロセッサーによる実行時に選択された機器を画像に関連付けして関連付けされた画像を得る関連付けモジュールからなる。このシステムは、また、計測機器と通信するサービスプロバイダーであって、関連付けされた画像を受信するように構成されたサービスプロバイダーを含む。
【図面の簡単な説明】
【０００９】
本願発明の前記の側面及び多くの付随する利点は、以下の添付の図面と合わせて解されたときに以下の詳細な説明に関連してそれらがよりよく理解されるので、より容易に明らかとなる。
【図１】図１は、本開示事項の側面に関連する、保守記録を取得し保持するためのシステムの一例のブロック図である。
【図２】図２は、本開示事項の側面に関連する、計算機器の一例のブロック図である。
【図３】図３は、本開示事項の側面に関連する、保守記録を取得し保持するための方法の一例を図示するフローチャートである。
【図４】図４は、本開示事項の側面に関連する、保守記録を取得し保持するためのシステムの他の例のブロック図であるである。
【図５】図５は、本開示事項の側面に関連する、ナビゲーションインタフェースの一例である。
【図６】図６は、本開示事項の側面に関連する、機器接続インタフェースの一例である。
【図７Ａ】図７Ａは、本開示事項の側面に関連する、ライブラリインタフェースの一例である。
【図７Ｂ】図７Ｂは、本開示事項の側面に関連する、ライブラリインタフェースの他の例である。
【図８】図８は、本開示事項の側面に関連する、資産インタフェースの一例である。
【図９】図９は、本開示事項の側面に関連する、機器接続インタフェースの一例である。
【図１０】図１０は、本開示事項の側面に関連する、機器接続インタフェースの一例である。
【図１１】図１１は、本開示事項の側面に関連する、機器接続インタフェースの一例である。
【図１２】図１２は、本開示事項の側面に関連する、機器接続インタフェースの一例である。
【図１３】図１３は、本開示事項の側面に関連する、機器接続インタフェースの一例である。
【図１４】図１４は、本開示事項の側面に関連する、機器接続インタフェースの一例である。
【図１５】図１５は、本開示事項の側面に関連する、機器接続インタフェースの一例である。
【図１６】図１６は、本開示事項の側面に関連する、機器接続インタフェースの一例である。
【図１７】図１７は、本開示事項の側面に関連する、機器接続インタフェースの一例である。
【図１８】図１８は、本開示事項の側面に関連する、機器接続インタフェースの一例である。
【図１９】図１９は、本開示事項の側面に関連する、機器接続インタフェースの一例である。
【図２０】図２０は、本開示事項の側面に関連する、機器接続インタフェースの一例である。
【発明を実施するための形態】
【００１０】
以下の説明は、各種資産に対する保守記録を取得し保持するためのシステム及び技術の各例を提供する。以下により詳細に説明されるように、一つの実施の形態の計算機器が計算機器の近傍におかれた場合その計算機器が計測機器に無線で連結されうる。被測定機器（ＤＵＴ）の一又はそれ以上のパラメータを計測するときに、計測機器は計測パラメータを計測データの形式で計算機器に提供することが可能である。いくつかの実施の形態において、計算機器はそこから測定が得られた対応するＤＵＴと計測パラメータを関連付けすると共に、関連付けされた計測パラメータを後続のアクセスのために、たとえば、サービスプロバイダーに提供する。他の実施の形態においては、計測機器自体が計測パラメータをＤＵＴに関連付けし、関連付けされた計測パラメータをサービスプロバイダーに提供する。
【００１１】
本開示事項の各側面を説明するに先立って、以下の説明の一又はそれ以上の部分が従来の電子部品によって実行可能な論理や作動に関連して提供されていることが理解されるべきである。これらの電子部品は、単独の位置に集合していてもよいし、又は、広いエリアに亘って分散していてもよく、一般的には、コントローラやマイクロコントローラやコントロールユニットやプロセッサーやマイクロプロセッサーなどを含んでいる。ここに記載された論理が（これらに限定されるものではないが）ハードウェア及びソフトウェア並びにその組み合わせを含む様々な構成によって実現可能であることはいわゆる当業者によって理解される。ハードウェアは、（これらに限定されるものではないが）アナログ回路、デジタル回路、処理ユニット、特定用途向けＩＣ（ＡＳＩＣ）その他、そして、それらの組み合わせを含むことが可能である。部品が分散されている環境の下では、各部品が通信リンクを介して互いにアクセス可能にされる。
【００１２】
いくつかの実施の形態が図示及び説明されているけれども、開示事項の精神及び範囲を逸脱することのない限り、各種の改変がなされうることは明らかである。この開示事項に記載された各実施の形態は、単に例又は例示として提供されたものであり、好適なものとして又は他の実施の形態を越える利点であるとして解釈されるべきでない。ここに提供された例は、網羅的であることを意図するものではなく、また、開示された正確な形式に開示事項を制限することを意図するものでもない。更に、本開示事項の実施の形態がここに説明された各特徴の組み合わせを利用することが可能であることは明らかである。
【００１３】
図１は、本開示事項の側面に関連する、保守記録を取得し保持するためのシステム１００のブロック図である。このシステム１００は、少なくとも一つの被測定資産１０４（ここでは被測定機器１０４又はＤＵＴ１０４として言及されている）及びＤＵＴ１０４の一又はそれ以上のパラメータを計測するように構成された一又はそれ以上の計測機器１０８を含んでいる。たとえば、計測機器１０８のそれぞれは、ＤＵＴ１０４の一又はそれ以上のパラメータを測定するための一又はそれ以上のセンサー、プローブなどを含むことが可能である。計測機器１０８がＤＵＴ１０４において元の位置に取り付け可能であるか、又は、たとえば、技術者のような利用者によってＤＵＴ１０４にもたらされることが可能であることは明らかである。ＤＵＴ１０４は、計測機器によって計測されうる少なくとも一つのパラメータを有する装備、機器、回路、構造、部品などを含むことが可能である。いくつかの実施の形態において、ＤＵＴ１０４は、ポンプやモーターやトランジスタやケーブルやスイッチやブレーカーや発電機や変圧機や電力貯蔵源などを含むことが可能であるが、これらに限られるものではない。この開示事項を通して用いられる非限定的な例において、ＤＵＴ１０４は電気モーターを含んでいる。計測機器１０８は、マルチメータやオシロスコープや熱画像システムや温度計や校正器具やケーブルテスター等を含むがこれらに限定されない計測及び／又は校正機器であってもよい。これに関連して、ＤＵＴ１０４によって計測されるべき一又はそれ以上のパラメータは、電気的なパラメータや温度や圧力や（画像を含む）可視光波又は不可視光波などを含むこともある。この開示事項を通して用いられる非限定的な例において、計測機器１０８はデジタルマルチメータと熱画像システムである。
【００１４】
システム１００は、また、計測機器１０８と通信して連結されるように構成された少なくとの一つの計算機器１１２を含んでいる。各計算機器１１２は既知の又は将来開発される無線又は有線の通信プロトコルを介して計測機器１０８と通信して連結される。いｋつかの実施の形態において、計算機器１１２と計測機器１０８は、近接場プロトコルや赤外線プロトコルやブルートースプロトコルやＩＥＥＥ８０２プロトコルなどを介して連結されるように構成されることが可能である。以下に更に詳細に説明されるように、ある実施の形態における計算機器１１２は、計算機器１１２を計測機器１０８の近くに配置することによって、計測機器１０８と無線で通信して接続されうる。これに関連して、計算機器１１２は、たとえば、計測データのようなデータを計測機器１０８から無線（又は有線）の通信リンクを介して受信するように構成されている。いくつかの実施の形態において、計算機器１１２は、たとえば、タブレットやスマートホーンやパーソナルコンピューティング装置やラップトップコンピューティング装置やパーソナルデジタルアシスタントなどのような移動コンピューティング機器であってもよい。
【００１５】
計算機器１１２は、また、インターネットプロトコルやセルラープロトコルや衛星プロトコルを含む有線及び／又は無線の適切な通信プロトコルを用いてネットワーク１１６を介して保守サービスプロバイダー１２４とも通信して連結されている。ネットワーク１１６は、ローカルエリアネットワーク（ＬＡＮ）又はワイドエリアネットワーク（ＷＡＮ）のようなラージネットワーク若しくはインターネットのようなネットワークの集合であってもよい。これに関連して、計算機器１１２は計測機器１０８から受け取った計測データをネットワーク１１６を介して保守サービスプロバイダー１２４に提供するように構成されることも可能である。同様に、計算機器１１２は保守サービスプロバイダー１２４からデータをネットワーク１１６を介して受け取るように構成されるようにしてもよい。ある実施の形態において、計算機器１１２はネットワーク１１６又はここに説明される他の通信システムを介して計測機器１０８と通信するように構成されている。例示された実施の形態においては、保守サービスプロバイダー１２４は計測機器１０８がそれによって計算機器１１２と連結している同じネットワーク１１６を介して計算機器１１２に連結されるようにすることも可能であるけれども、計算機器１１２を保守サービスプロバイダー１２４に連結するネットワークが計算機器１１２を計測機器１０８に連結するネットワークとは全く異なることもありうることは正しく理解されるべきである。
【００１６】
一般的に言って、保守サービスプロバイダー１２４は、たとえば、パーソナルコンピュータやサーバーコンピュータや埋め込みされたコンピューティング機器や移動コンピューティング機器などのような（図示しない）相互接続されたコンピューティング機器を一又はそれ以上含むことが可能である。簡潔さのためにここでは詳細に説明しないけれども、それぞれのコンピューティング機器が色々なハードウェア部品と作動用のプログラムモジュールを含むことが可能であることは正しく理解されるべきである。保守サービスプロバイダー１２４は、更に、計算機器１１２から受け取った計測データのようなデータを格納するための一又はそれ以上のデータ格納器１２８を含んだり、又は、それらと連結したりすることが可能である。
【００１７】
図示された実施の形態においては、保守サービスプロバイダー１２４と計算機器１１２はネットワーク１１６を介して技術サポート１３２と更に連結されている。保守サービスプロバイダー１２４は、始めに技術サポート１３２に接触して適切な情報を提供して技術サポート１３２が計算機器１１２と通信状態におかれるように構成することが可能である。たとえば、技術サポート１３２は、保守サービスプロバイダー１２４からの要求に応じて、ネットワーク１１６を介して計算機器１１２にテキスト又はＥメールを送るように構成されることも可能である。技術サポート１３２が任意であることが正しく理解されるべきである。いくつかの実施の形態においては、技術サポート１３２が保守サービスプロバイダー１２４と合体されていてもよい。
【００１８】
図２に取りかかって、計算機器１１２の一例の代表的な構成要素アーキテクチュアのブロック図が示されている。計算機器１１２は、一又はそれ以上のバス２５２を介して相互接続された、中央処理装置（ＣＰＵ）又はプロセッサー２４０や通信回路２４４やＩ／Ｏインタフェース２４８やメモリ２５０のような、ハードウェア構成要素を含んでいる。計算機器の正確な構成やタイプに応じて、メモリ２５０は、リードオンリーメモリ（ＲＯＭ）、ランダムアクセスメモリ（ＲＡＭ）、ＥＥＰＲＯＭ、フラッシュメモリ又は類似のメモリ技術のような揮発性又は不揮発性のメモリの形式のシステムメモリを含むことが可能である。当業者などは、システムメモリがプロセッサー２４０によって主に直接にアクセス可能な及び／又はカレントに操作されるデータ及び／又はプログラムモジュールを保存することを理解する。これに関して、プロセッサー２４０は命令の実行をサポートすることによって計算機器１１２の計算中枢として働く。
【００１９】
メモリ２５０は、また、ストレージメモリを含むこともある。ストレージメモリは、情報を保存することが可能ないかなる技術を用いて提供された、揮発性若しくは不揮発性のメモリであってもよく、リムーバブル若しくは非リムーバブルメモリであってもよい。ストレージメモリの例は、ハードディスクドライブ、ソリッドステートドライブ、ＣＤ  ＲＯＭ、ＤＶＤ，又は他の保存ディスク、磁気カセット、磁気テープ、磁気保存ディスク等が含まれるが、それに限定されることはない。ストレージメモリに保存される情報は、プロセッサー２４０によってアクセスされるプログラムモジュールやデータが含まれるが、それらに限定されるものではない。一般的に、プログラムモジュールは、特定のタスクを実行する又は特定のアブストラクトデータタイプを実行するルーティンやアプリケーションやオブジェクトやコンポーネントやデータ構造などを含むことが可能である。ここに記載するシステムメモリやストレージメモリがコンピュータ判読可能な保存メディアの単なる例示であることは明らかである。
【００２０】
図２に示す実施の形態において、メモリ２５０は、計算機器１１２の動作を操作するオペレーティングシステム２５４を保存する。開示の一つの実施の形態において、オペレーティングシステム２５４は、たとえば、マイクロソフト社製のＷＩＮＤＯＷＳ（登録商標）又はＷＩＮＤＯＷＳ（登録商標）モバイルやＬＩＮＵＸ（登録商標）やグーグル社製のアンドロイドやブラックベリー社製のＯＳやアップル社製のＬｅｏｐａｒｄ又はモバイルｉＯＳグラフィカルオペレーティングシステムなどのグラフィカルオペレーティング環境を提供して、作動されたアプリケーション又はプログラムモジュールが、グラフィカルユーザーインタフェース（ＧＵＩ）のような利用者に可視のインタフェースと共に一又はそれ以上のグラフィカルアプリケーションウィンドウとして表示される。計算機器１１２と情報交換するために、計算機器１１２が利用者及び／又は他の機器から入力を得ることと利用者及び／又は他の機器に出力を提供することを可能にする色々なコンポーネントを入出力インタフェース２４８が含むことも可能である。入出力インタフェース２４８は、ＬＣＤやＬＰＤやＯＬＥＤディスプレイのようなディスプレイやキーパッドやハード又はソフトキーボードやタッチパッドやコントロールボタンや物理ボタンやスクロールウィールやデジタルペンやトラックボールやジョイスティックなどを含むことが可能であるが、それらに限定されるものではない。ある一つの実施の形態において、ディスプレイ２７０のようなディスプレイは、タッチスクリーンとして構成されうる。Ｉ／Ｏインタフェース２４８は、また、計測機器１０８から入力を受信し、そして、ある実施の形態においては、それに出力を提供することも可能である。
【００２１】
メモリ２５０は、また、プロセッサー２４０によって実行されたときに、計算機器１１２に機能を提供する計測機器及びサービスプロバイダーインタフェース２５６を保存する。そのような機能は、計測機器１０８からの計測データを受け取って保守サービスプロバイダー１２４から計測データや履歴データのようなデータを受信し／保守サービスプロバイダー１２４へ計測データや履歴データのようなデータを送信し、特定のＤＵＴ１０４に計測データを関連付けし、複数のＤＵＴ１０４からの計測データを得るための保守ルートを取得するなどの一又はそれ以上の計測機器１０８との相互作用を含むことが可能であるが、それに限定されるものではない。そのため、インタフェース２５６は、ＣやＣ＋＋やＣＯＢＯＬやＪＡＶＡ（登録商標）やＰＨＰやＰｅｒｌやＨＴＭＬやＣＳＳやＪａｖａＳｃｒｉｐｔ（登録商標）やＶＢＳｃｒｉｐｔやＡＳＰＸのようなプログラム言語やＣ＃のようなＭｉｃｒｏｓｏｆｔ．ＮＥＴ（登録商標）言語などで記載されうる一又はそれ以上のアプリケーション又はプログラムモジュールを含むことが可能である。サービスプロバイダーインタフェース２５６の機能が複数のプログラムモジュール又はサブモジュールの間に分割されうることは明らかである。以下に詳述されるように、いくつかの実施の形態においてプロセッサー２４０によるインタフェース２５６の実行は、一又はそれ以上のインタフェ−スエレメントを有する一又はそれ以上のユーザーインタフェースを発生する。いくつかの実施の形態において、一又はそれ以上のユーザーインタフェースは、階層的方法でディスプレイ２７０を介して利用者に提供される。
【００２２】
更に図２に関連して、通信回路２４４は、適切な有線又は無線通信プロトコルを用いて、計測機器１０８と直接に通信するか、若しくは、ネットワーク１１６を介して計測機器１０８と間接的に通信する一又はそれ以上の構成要素を含んでいる。通信回路２４４の一又はそれ以上の構成要素は保守サービスプロバイダー１２４及び／又は技術サポート１３２などとの通信のために採用されることもある。これらの構成要素は、一又はそれ以上のネットワークに亘る通信を行うために、モデムや送受信機及び／又はトランシーバー回路を含むことが可能である。無線通信するためには、通信回路２４４は、一又はそれ以上のアンテナ（図示しない）を含むことが可能である。図示の場合、図２はアナログデジタル変換器やデジタルアナログ変換器や増幅器やデバイスコントローラなどを図示していないが、それらは通信回路について一般的に含まれている。しかしながら、通信回路について含まれうるこれらの及び他の構成要素は業界において知られているので、それらはここにおいて詳述しない。
【００２３】
インタフェース２５６の機能が詳述される。いくつかの実施の形態において、インタフェース２５６は、計算機器１１２が計測機器１０８の近傍に置かれたときに計算機器１１２を計測機器１０８（図１）と無線で連結することを可能にする。これに関し、計測機器１０８は、計算機器１１２と連結して信号をそれに送信するように構成された、送信機やトランシーバーなどを含んでいる通信インタフェース１４０を含んでいる。計算機器１１２が計測機器１０８の近傍に置かれたとき、インタフェース２５６は通信回路２４４が連結プロセス、すなわち「ハンドシェーク（ｈａｎｄｓｈａｋｅ）」を行うようにして、計算機器１１２が計測機器１０８から一又はそれ以上の信号を受信できるようにし、それによって、計算機器１１２と計測機器１０８を関連付けする。連結プロセスは、自動的若しくは、スイッチやグラフィカルユーザーインタフェースなどを介してユーザーにより開始される。一つの非制限的な実施の形態においては、計算機器１１２と計測機器１０８はＢｌｕｅｔｏｏｔｈ（登録商標）等を介して組み合わされるように構成されている。
【００２４】
一旦連結されると、計算機器１１２は、インタフェース２５６経由で、計測機器１０８から計測データを受信するように構成されうる。計測データは計算機器１１２を計測機器１０８の近傍に置くことによってネットワーク１１６又は他の通信ネットワークにより確立された無線通信を介して計測機器１０８から計算機器１１２に提供されることが可能である。特に、計測機器１０８は、計測機器１０８により発生された計測データ又は他のデータを計算機器１１２に提供するように構成されている。たった一つの計算機器と一つの計測機器が示されているけれども、複数の計算機器が複数の計測機器と関連付けられるように構成されうることは明らかである。
【００２５】
インタフェース２５６は、また、計算機器１１２を、ネットワーク１１６を介して、保守サービスプロバイダー１２４と通信可能にする。これに関して、保守サービスプロバイダー１２４は、計算機器１１２にデータを送りそしてそこからデータを受け取るように構成されることが可能である。インタフェース２５６経由で、計算機器１１２は保守サービスプロバイダー１２４のデータ格納器１２８内に格納されたヘルプサービスや保守ライブラリにアクセスするように構成されることも可能である。保守ライブラリは、資産の分類や保守データや基準データや保守オペレータコメントや優先度の高い必要な計測やよくある資産の問題などのような保守データを含むことがありうる。
【００２６】
当業者によって理解されているように、ここに記載されたような「データ格納器」は、計算機器によってアクセスするためのデータを格納するように構成された適切な機器であってもよい。データ格納器の一つの例は、一又はそれ以上の計算機器に関して実行すると共に高速パケットスイッチネットワークに亘ってアクセス可能な高速高信頼性のリレーショナルデータベース保守システム（ＤＢＭＳ）である。しかし、ケリーに応じて保存データを高速高信頼性において提供することが可能ないかなる他の適切な保存技術及び／又はデバイスも用いることが可能であり、そして、計算機器はネットワークを通じての代わりにローカルでアクセス可能であってもよいし、若しくは、他のタイプの適切なネットワークに亘ってアクセス可能又はクラウドベースのサービスとして提供されるようにしてもよい。データ格納器は、また、業界で公知の保存メディアにオーガナイズされた方法で保存されたデータを含むようにしてもよい。当業者は、本開示事項の範囲から逸脱しない限り、ここに記載された別々のデータ格納器が組み合わされて単独のデータ格納器となることを理解するし、及び／又は、ここに記載された単独のデータ格納器が分離されて複数のデータ格納器となることを理解する。
【００２７】
インタフェース２５６は、更に、計測機器１０８と保守サービスプロバイダー１２４から受信されたデータの操作を可能にすると共に、記録を作成する。たとえば、インタフェース２５６は、それぞれのＤＵＴ１０４Ａ−Ｎに対する記録を作成し、いくつかの実施の形態においては、それを編集して保存するように構成することも可能である。作成された記録は、資産名や資産タイプや特定の計測機器から受信された計測データやサービス時間や保守スタッフからのコメントや資産を保守することに関連する他の情報を含むこともある。作成された記録は、データ格納器１２８に保存するために保守サービスプロバイダー１２４に提供されることも可能である。次いで、インタフェース２５６は、保守サービスプロバイダー１２４のデータ格納器１２８に格納された各種資産について以前に格納されて計算機器１１２に送られた記録にアクセス可能なように構成されることが可能である。格納された記録は、計算機器１１２によってダウンロード可能であるか、又は、計算機器１１２にストリームされうる。このような場合、計算機器１１２は、保守サービスプロバイダー１２４からのストリーミングデータを見るために、オーディオ／ビデオコンバータ／デコーダ及び／又は他の適切なデバイス回路及び／又はソフトウェアを含むこともある。格納された記録は、計測履歴データやトレンドや基準データ等のような複数の格納された記録からの分析データを含むことが可能である。いくつかの実施の形態において、インタフェース２５６は、更に、保守サービスプロバイダー１２４のデータ格納器１２８に保存された各種資産について以前に格納された記録を編集するように構成されることも可能である。
【００２８】
インタフェース２５６は、また、利用者が計測機器１０８から受信した計測データをその計測データが得られたＤＵＴ１０４と関連付けすることを可能にすることもできる。このために、利用者がＤＵＴとして選択可能な複数の資産のグラフィカルリストを提供することも可能である。いくつかの実施の形態において、各資産は計算機器１１２のメモリ２５０内の資産記録又は保守サービスプロバイダー１２４のデータ格納器１２８に格納された資産記録に関連付けされている。資産記録は、資産タイプや資産名や位置やシリアル番号やルートのような情報を含むことが可能である。ある実施の形態においては、複数の資産のリストは特定位置における資産のリストを含んでいる。このように、リストから資産のうちの一つを選択するか、又は、資産記録を選択することによって、計測データが（計測データが得られた資産である）ＤＵＴと関連付けされうる。他の実施の形態において、計測データはバーコードスキャナや光学式文字認識器やＲＦＩＤなどのような自動化システム２７４によって得られたデータからＤＵＴ１０４と関連付けされることが可能である。いくつかの実施の形態においては、計算機器１１２は、そのような自動システムを含み、そして、他の実施の形態においては、その自動化システムは適切な無線又は有線通信プロトコルを介して計算機器１１２に連結される。
【００２９】
いくつかの実施の形態において、計測機器１０８からの計測データを計算機器１１３が受信する以前に計測データはＤＵＴ１０４と関連付けされうる。たとえば、ＤＵＴに対応する資産記録は、計測機器１０８からの計測データを受信するに先立って選択若しくは作成されうるが、それによって、次に受信する計測データをＤＵＴ１０４と関連付けする。他の実施の形態においては、計測機器１０８からの計測データを受信した後に、計測データが資産１０４と関連付けされるべきである。たとえば、計測データの受信時に、関連付けされた資産記録が作成、選択などされて、それによって、受信された計測データとＤＵＴ１０４を関連付けする。
【００３０】
インタフェース２５６は、更に、測定されるべき資産（ＤＵＴ１０４）のグラフィカルリストを提供することが可能である。特に、インタフェース２５６はリスト上の各資産の特定及び／又は位置を提供することが可能である。たとえば、インタフェース２５６は特定の環境下で測定されるべき各資産を図示するグラフィカルマップを含むことができる。いくつかの実施の形態において、インタフェース２５６は、更に、各資産が試験されるべき順番を示すことができる。図２０は、以下に詳述されるような保守ルートの一例を示すインタフェースの表示である。
【００３１】
上記に略述されたように、インタフェース２５６の一又はそれ以上の実施の形態は、技術者などのような利用者に対してプレゼンテーション用の一又それ以上のインタフェースを発生することが可能である。いくつかの実施の形態において、インタフェース２５６の実行がディスプレイ２７０（図２）上にナビゲーションインタフェース５１０を提供する。ナビゲーションインタフェースの一例は図５に表示されている。ナビゲーションインタフェース５１０は複数タイプの情報を組み合わせて格納されたデータとシステム１００内に集めるべきデータのオーガナイズされた効率的な方法で統合された画面を提供することが可能である。ナビゲーションインタフェース５１０は、システム１００によって取得され保持された保守又は校正情報に関連した活動を通じて利用者を案内する機能を提供することが可能である。
【００３２】
図５の実施の形態において、ナビゲーションインタフェース５１０は、アイコンやハイパーリンクなどのような複数のインタフェースエレメントを含んでいる。ある実施の形態におけるインタフェースエレメントは、一又はそれ以上の以下の組み合わせを含むことが可能である。すなわち、撮像インタフェースエレメント５１４とブラウズインタフェースエレメント５１６と資産インタフェースエレメント５１８とルートインタフェースエレメント５２０とヘルプインタフェースエレメント５２２とライブラリインタフェースエレメント５２１と機器接続インタフェースエレメント５２４と画像比較インタフェースエレメント５２６とデータ閲覧インタフェースエレメント５２８などである。このインタフェースエレメントのうちの一つの実行時に、他の関連するインタフェースが利用者との相互作用のためのディスプレイを介して提供される。
【００３３】
図６乃至図２０は、利用者との相互作用のためにディスプレイを介して提供されうる他の関連するインタフェースの例を図示している。図６は、インタフェース２５６によって発生された機器接続インタフェース６１０の一例であり、たとえば、図５の機器接続インタフェースエレメント５２４の作動時にディスプレイ２７０を介して利用者に提供される。図６にもっともよく示されているように、機器接続インタフェース６１０は、たとえば、接続インタフェースエレメント６１４や切断インタフェースエレメント６１６やファイルに追加インタフェースエレメント６１８や画像に追加インタフェースエレメント６２０などを含むインタフェースエレメントを含んでいる。ある実施の形態において、接続インタフェースエレメント６１４の作動は通信回路２４４が連結プロセスすなわち「ハンドシェーク」を実行して、計算機器１１２が計算機器１１２の近傍にある計測機器１０８のような計測機器から一又はそれ以上の信号を受信できるようにする。一旦連結されると、計算機器１１２は計測機器１０８と関連付けされる。
【００３４】
他の実施の形態において、機器接続インタフェース６１０は、また、連結プロセス中に利用者によって選択されうる一又はそれ以上の計測機器のリスト６３０を含むことが可能である。リスト６３０は文字やアイコンやそれらの組み合わせなどとして表示されうる。いくつかの実施の形態において、たとえば、以前に連結された４つの計測機器のようなメモリ２５０に予め保存されたリストのようにリスト６３０は時間的に発生させることも可能であり、また、リストは計算機器１１２の近傍にあると共にそれに連結可能なすべての計測機器のリストであってもよい。機器接続インタフェース６１０は、更に、６４０で示されているような、計測機器から受信された計測データを示す一又はそれ以上の信号をグラフィカルな方法で示してもよい。機器接続インタフェース６１０は、また、たとえば、ホームインタフェースエレメント６５２や前インタフェースエレメント６５４や次インタフェースエレメント６５６や行使インタフェースエレメント６５８などを含むナビゲーションインタフェースエレメントを含むことも可能である。
【００３５】
図７Ａは、インタフェース２５６によって発生されたライブラリインタフェース７１０の一例であり、たとえば、図５のライブラリインタフェースエレメント５２１の作動時にディスプレイ２７０を介して利用者に提供される。図７Ａにもっともよく示されているように、就中、ライブラリインタフェース７１０は、電気モーターのようなＤＵＴの一又はそれ以上の画像７１２Ａ−Ｎ及び／又は問題の資産などのテキスト形式などの情報７１８を含むことが可能である。図７Ａに示された例においては、情報はＤＵＴに関するよくある保守の問題や一般的なサービス又は試験情報やＤＵＴの通常の作動パラメータなどを含むことがある。ライブラリインタフェース５１０は、また、たとえば、ホームインタフェースエレメント７２２や前インタフェースエレメント７２４や次インタフェースエレメント７２６や行使インタフェースエレメント７２８などを含むナビゲーションインタフェースエレメントを含む。
【００３６】
図７Ｂは、インタフェース２５６によって発生されたライブラリインタフェース７６０の一例であり、ディスプレイ２７０を介して利用者に提供される。ライブラリインタフェース７６０は、図５のライブラリインタフェースエレメント５２１の作動時や次インタフェースエレメント７２６（図７Ａ参照）のような他のインタフェースエレメントの作動時などにおいて、発生させることも出来る。いずれの場合においても、ライブラリインタフェース７６０は、電気モーターのような資産の一又はそれ以上の画像７６４Ａ−Ｎ及び／又は問題の資産などのテキスト形式などの情報７７０を含むことが可能である。図７Ｂに示された例においては、情報７７０はそれとは別に若しくはそれに加えて他の情報が提供されてもよいけれども、ＤＵＴに共通する保守の問題の形式であってもよい。
【００３７】
図８は、インタフェース２５６によって発生された資産インタフェース８１０の一例であり、たとえば、図５の資産インタフェースエレメント５１８の作動時にディスプレイ２７０を介して利用者に提供される。図８にもっともよく示されているように、資産インタフェース８１０は、たとえば、新資産インタフェースエレメント８１４や更新インタフェースエレメント８１６や資産記録閲覧インタフェースエレメント８１８などを含むインタフェースエレメントからなる。資産インタフェース８１０は、また、利用者が資産すなわちＤＵＴに関連する情報を入力することを可能にするデータエントリーエレメント８２６を提供する。図示された実施の形態において、この情報は資産タイプや名前や位置やルートなどを含むことが可能であるが、これらに限定されるものではない。計算機器１１２に保存された情報から発生されるか、若しくは、サービスプロバイダー１２４からアクセスされた情報から発生されたプルダウンメニューやブラウズメニューなどを介して情報が入力されうることは明らかである。他の実施の形態においては、そのようなＤＵＴ情報の入力のための一又はそれ以上の代わりの若しくは追加のインタフェースを介して情報が入力されうる。たとえば、資産タイプは資産タイプインタフェース１１１０を介して入力されうるが、その例が図１１に示されている。資産名は資産名インタフェース１２１０を介して入力されうるが、その例が図１２に示されている。そして、資産位置は資産位置インタフェース１３１０を介して入力されうるが、その例が図１３に示されている。
【００３８】
図８に戻って、資産インタフェース８１０は画像やオーディオファイルなどを追加するか、又は、資産記録内の資産と関連付けされることを可能にする他のインタフェースエレメントを含むことが可能である。更に、資産インタフェース８１０は、たとえば、ホームインタフェースエレメント８４２や前インタフェースエレメント８４４や次インタフェースエレメント８４６や行使インタフェースエレメント８４８などを含むナビゲーションインタフェースエレメントを含むことが可能である。
【００３９】
図８に示された実施の形態においては、資産インタフェース８１０は、また、記録作成インタフェースエレメント８５２を含むことが可能である。たとえば、記録作成インタフェースエレメント８５２の作動時に、資産記録インタフェース９１０が発生されるが、その一例が図９に示されている。資産記録インタフェース９１０は、資産タイプや資産名や資産位置などのような資産すなわちＤＵＴに関する情報を表示する。図９にもっともよく示されているように、就中、資産記録インタフェース９１０は資産記録を更新するか又は編集すること、記録ログを作成すること、記録ログを閲覧することなどを可能にするインタフェースエレメントを含むことが可能である。これに関連して、資産記録インタフェース９１０は、更新インタフェースエレメント９１２や記録作成インタフェースエレメント９１４や記録ログ閲覧インタフェースエレメント９１６などを含むことが可能である。
【００４０】
更に、図８に示された実施の形態においては、資産インタフェース８１０は、追加的に又は別に記録ログ作成インタフェースエレメント８５４を含むことが可能である。たとえば、図８の記録ログ作成インタフェースエレメント８５４や図９の記録ログ作成インタフェースエレメント９１４などの作動時に、記録ログインタフェース１０１０が発生されるが、その一例が図１０に示されている。図１０にもっともよく示されているように、就中、資産記録インタフェース９１０は、利用者が資産すなわちＤＵＴに関連する試験情報を入力すること、そして、それと関連付けすることを可能にするデータエントリーエレメント１０２６を提供することが可能である。図示の実施の形態において、その情報は、ＤＵＴのステータスや問題の重要度やとられるべき必要なアクションや記録されるべき必要なノートや他の技術にとって役立つであろう何らかの他の情報を含むことが可能であるが、これらに限定されるものではない。計算機器１１２に保存された情報から発生されるか、若しくは、サービスプロバイダー１２４からアクセスされた情報から発生されたプルダウンメニューやブラウズメニューなどを介して情報が入力されうることは明らかである。他の実施の形態においては、タッチスクリーンキーボードやソフト又はハードキーボードなどのような入力機器が用いられて、情報を入力することが可能である。他の形式の情報（たとえば、画像やオーディオファイルなど）は、また、画像追加インタフェースエレメント１０１６又はオーディオ追加インタフェースエレメント１０１８のようなインタフェースエレメントを介して記録ログインタフェース１０１０に入力されうる。一旦情報が記録ログインタフェース１０１０に入力されると、画像に追加インタフェースエレメント１０１２や資産に追加インタフェースエレメント１０１４などを介して、その情報はいくつかの実施の形態においては画像に加えられるか、資産に加えられることが可能である。
【００４１】
図１４は、インタフェース２５６によって発生されたブラウズインタフェース１４１０の一例であり、たとえば、図５のブラウズインタフェースエレメント５１６の作動時にディスプレイ２７０を介して利用者に提供される。図１４にもっともよく示されているように、ブラウズインタフェース１４１０は、利用者がＤＵＴ１０４のような資産に関して、計算機器に、若しくは、保守サービスプロバイダー１２４の一又はそれ以上のデータ格納器のいずれかに保存された情報を探すことを可能にするインタフェースエレメントからなる。情報捜索は、情報タイプによって情報を分類することにより行われることが可能である。たとえば、ブラウズインタフェース１４１０は資産タイプや資産名などによって情報を分類することを可能にする。これに関して、ブラウズインタフェースエレメントは、資産タイプインタフェースエレメント１４１２や資産名インタフェースエレメント１４１４や日付インタフェースエレメント１４１６などを含むことが可能である。図１４にもっともよく示されているように、就中、ブラウズインタフェースエレメント１４１０は、利用者による選択のための一又はそれ以上の画像や一又はそれ以上の資産や一又はそれ以上の記録などの形式の情報１４２０を含むことが可能である。図１４に示す例において、情報１４２９は一又はそれ以上の画像や一又はそれ以上の資産や一又はそれ以上の記録などの列に分類されうる。ブラウズインタフェースは、更に、たとえば、ホームインタフェースエレメント１４２２や前インタフェースエレメント１４２４や次インタフェースエレメント１４２６や行使インタフェースエレメント１４２８などを含むナビゲーションインタフェースエレメントを含むことが可能である。
【００４２】
図１５は、インタフェース２５６によって発生された撮像インタフェース１５１０の一例であり、たとえば、図５の撮像インタフェースエレメント５１４の作動時にディスプレイ２７０を介して利用者に提供される。図１５にもっともよく示されているように、撮像インタフェース１５１０は、利用者が熱画像システムやデジタルカメラやデジタルビデオレコーダーなどのような関連する計測機器から画像を取得すると共にＤＵＴ１０４のような資産とそれらを関連付けることを可能にするインタフェースエレメントからなる。それに関連して、撮像インタフェースエレメントは、資産に追加インタフェースエレメント１５１４などを含むことが可能である。図１５にもっともよく示されているように、就中、撮像インタフェースエレメント１５１０は、利用者による閲覧のための一又はそれ以上の画像形式の情報１５２０を含むことが可能である。撮像インタフェース１５１０は、また、たとえば、ホームインタフェースエレメント１５２２や前インタフェースエレメント１５２４や次インタフェースエレメント１５２６や行使インタフェースエレメント１５２８などを含むナビゲーションインタフェースエレメントを含むことが可能である。
【００４３】
図１６は、撮像インタフェース１６１０の他の例である。撮像インタフェース１６１０は、インタフェース２５６によって発生され、そして、たとえば、図５の撮像インタフェースエレメント５１４や、図１５の次インタフェースエレメント１５２６などの作動時にディスプレイ２７０を介して利用者に提供されることが可能である。図１６にもっともよく示されているように、就中、撮像インタフェース１６１０は、利用者による閲覧のための一又はそれ以上の画像の形式の情報１６２０を含むことが可能である。ある実施の形態において、図示の画像は計測機器によってとられ，ここで説明される連結プロセスによって計算機器に連結された又はこれから連結されるＤＵＴ１０４のような計測機器から受信したＤＵＴの画像に対応する。
【００４４】
図１６にもっともよく示されているように、撮像インタフェース１６１０は、また、利用者がＤＵＴ１０４のような資産を画像に関連付けることを可能にするインタフェースエレメントを含む。これに関連して、撮像インタフェースエレメントは、資産に追加インタフェースエレメント１６３０などを含むことが可能である。撮像インタフェース１６１０は、また、テキストノートやオーディオノートなどの挿入を可能にし、デバイスデータを加えることを可能にする。これに関連して、撮像インタフェース１６１０は、写真ノートインタフェースエレメント１６３２やオーディオノートインタフェースエレメント１６３４やデバイスデータ追加インタフェースエレメント１６３６などを含むことが可能である。撮像インタフェース１６１０は、更に、たとえば、ホームインタフェースエレメント１６４２や前インタフェースエレメント１６４４や次インタフェースエレメント１６４６や行使インタフェースエレメント１６４８などを含むナビゲーションインタフェースエレメントを含むことが可能である。
【００４５】
図１５に示された実施の形態において、撮像インタフェース１５１０は、また、ポーズガイドインタフェースエレメント１５１８を含むことが可能である。たとえば、ポーズガイドインタフェースエレメントの作動時に、ポーズインタフェース１７１０が発生されるが、その一例が図１７に示されている。ポーズインタフェース１７１０は、利用者がＤＵＴの画像をとるのに役立つ。特に、ポーズインタフェース１７１０は、利用者がＤＵＴの同じ又は類似の画像をとるのに役立つ。図１７にもっともよく示されているように、就中、ポーズインタフェース１７１０は、利用者による閲覧のための一又はそれ以上の画像の形式の情報１７２０を含むことが可能である。ある実施の形態において、この情報１７２０は以前試験された資産の基準画像である第１の画像ＡとＤＵＴと称される同じ資産のライブ画像である第２の画像Ｂの形式である。第１の画像Ａは、基準フレームＲｆＡを含む。第２の画像Ｂは、基準フレームＲｆＢを含む。基準フレームＲｆＡが基準フレームＲｆＢに対応しており、図示の実施の態様においては画像Ａの中央に対応していることが明らかである。第２の画像Ｂは、更に、計測機器の画像センサーの中心を示している。画像センサーの中心は、カーソル１７３０としてディスプレイ上に表されている。計測機器がＤＵＴと平行な２次元面内に移動すると、カーソル１７３０はそれに応じてディスプレイ上を移動する。カーソル１７３０が基準フレームＲｆＢと整合されたときに、熱画像システムの画像センサーはほぼ基準画像に整合される。これに関連して、熱画像システムは基準画像に対応する画像を取得して、それを計算機器に送ることが可能である。すなわち、計測機器は、基準計測において示されたのとほぼ同じ位置において計測位置を決めることが可能である。例示の実施の形態が熱画像に適用されているけれども、ポーズ特徴は他の計測機器に関して使用されうることは明らかである。
【００４６】
図１８は、インタフェース２５６によって発生された比較インタフェース１８１０の一例であり、たとえば、図５の画像比較インタフェースエレメント５２６の作動時にディスプレイ２７０を介して利用者に提供される。図１８にもっともよく示されているように、比較インタフェース１８１０は、利用者が取得された画像と以前の保守試験データからの画像を比較することを可能にするインタフェースエレメントからなる。図示された例においては、電気モーターの画像が熱画像システムによってとられた。これに関連して、比較インタフェース１８１０は現状の画像１８２４と以前とられて計算機器又は保守サービスプロバイダー１２４に保存された画像１８２６の形式の情報１８２０を含んでいる。以前の画像１８２６が現在の画像に対応する複数の以前に保存された画像であって、日によってスクロールされるものを含むことが可能である。また、この画像の観点が、画像の有用な比較を得るために、同じ又はほぼ同じにすべきであることは明らかである。ある実施の形態において、撮像インタフェースのポーズインタフェース１７１０は実質的に同じ整合を有する画像を得るために使用されることが可能である。
【００４７】
比較画像インタフェース１８１０は、また、マーカーインタフェースエレメント１８２６などを含むことが可能である。作動時、マーカーインタフェースエレメント１８２６は画像上の正確な位置において計測が行われることを可能にする。比較画像インタフェース１８１０は、更に、たとえば、ホームインタフェースエレメント１８３２や前インタフェースエレメント１８３４や次インタフェースエレメント１８３６や行使インタフェースエレメント１８３８などを含むナビゲーションインタフェースエレメントを含むことが可能である。
【００４８】
図１９は、インタフェース２５６によって発生されたデータ閲覧インタフェース１９１０の一例であり、たとえば、図５のデータ閲覧インタフェースエレメント５２８の作動時にディスプレイ２７０を介して利用者に提供される。図１９にもっともよく示されているように、データ閲覧インタフェース１９１０は、画像インタフェースエレメント１９１２や表インタフェースエレメント１９１４やグラフインタフェースエレメント１９１６や統計インタフェースエレメント１９１８などを含むインタフェースエレメントからなる。図１９にもっともよく示されているように、就中、データ閲覧インタフェース１９１０は、テキストやグラフや画像や表などの形式の問題のＤＵＴなどの情報１９２０を含むことが可能である。情報１９２０は、一又はそれ以上のインタフェースエレメント１９１２−１９１８又はその他の手段の発動の結果として表示されることもある。図示の例において、情報１９２０は最初の日と最後の日の間のＤＵＴの計測されたパラメータの傾向を表示する。ある実施の形態において、この情報は、電気モーターのようなＤＵＴの画像上のマークされた位置の傾向のあるデータを示す。データ閲覧インタフェース１９１０は、また、たとえば、ホームインタフェースエレメント１９２２や前インタフェースエレメント１９２４や次インタフェースエレメント１９２６や行使インタフェースエレメント１９２８などを含むナビゲーションインタフェースエレメントを含むことが可能である。
【００４９】
図２０は、インタフェース２５６によって発生されたルートインタフェース２０１０の一例であり、たとえば、図５のルートインタフェースエレメント５２０の作動時にディスプレイ２７０を介して利用者に提供される。図２０にもっともよく示されているように、ルートインタフェース２０１０は、資産追加インタフェースエレメント２０１２や記録検討インタフェースエレメント２０１４や新ルートインタフェースエレメント２０１６などを含むインタフェースエレメントからなる。図２０にもっともよく示されているように、就中、ルートインタフェース２０１０は、テキストやマップやリストや表などの形式の問題のＤＵＴなどの情報２０２０を含むことが可能である。情報２２０は、リスト上の各資産の特定及び／又は位置を提供することが可能である。たとえば、そのリストは、図２０に示されているような、資産名や資産タイプや位置を含むことが可能である。いくつかの実施の形態において、この情報は、更に、各資産が試験されるべき順番を示すことが可能である。ルートインタフェース２０１０は、また、たとえば、ホームインタフェースエレメント２０２２や前インタフェースエレメント２０２４や次インタフェースエレメント２０２６や行使インタフェースエレメント２０２８などを含むナビゲーションインタフェースエレメントを含むことが可能である。
【００５０】
図３に戻って、保守記録を取得して保持する方法３００の一例が記載される。方法はブロック３１０で始まり、そして、ブロック３２０に進む。ブロック３２０で計算機器１１２（図１）のような計算機器は、計測機器１０８（図１）のような計測機器の近傍に置かれると共に、計測機器１０８と通信状態に連結される。いくつかの実施の形態においては、通信リンクは自動的に確立されるが、一方、他の実施の形態においては、通信リンクは機器接続インタフェース６１０を介してのようなユーザー入力を介して確立される。ブロック３３０で、計算機器が計測機器に連結されるに先立って又はその最中に、被測定機器の一又はそれ以上のパラメータが計測機器１０８によって計測されて計測データを得る。ブロック３４０で、計測データが計測機器１０８から計算機器１１２に送られる。ブロック３６０で、計測データが被測定機器と関連付けされて、関連付けされた計測データを得る。いくつかの実施の形態において、計算機器１１２のデバイスリストからＤＵＴを選択することによって、計測データが被測定機器（ＤＵＴ）と関連付けされる。別の場合、ＤＵＴに関する特定情報（たとえば、名前やシリアル番号など）は、自動化システム２７６を介して計算機器１１２によって得られると共に、計測データと関連付けされる。他の実施の形態においては、計測データはＤＵＴに対応する資産記録にアクセスすることによって被測定機器（ＤＵＴ）と関連付けされる。ブロック３７０で、関連付けされた計測データがネットワーク１１６のようなネットワークを介して保守サービスプロバイダー１２４に提供される（図１）。方法はブロック３８０で終了する。
【００５１】
上記の各ブロックは、連続的に、又は、平行して、若しくは、ここに記載されたのとは異なる順序で実行されうる。いくつかの実施の形態において、一又はそれ以上の図示されたブロックが削除され、組み合わされ、別のブロックに分離されることが可能であることは明らかである。更に、この方法３００は図示しない別のブロックを含むことも可能である。
【００５２】
図４は、本開示事項に関して、保守記録を取得して保持するシステム４００の他の例である。このシステム４００は、以下により詳細に説明するような差異を除いて、図１のシステム１００のような構成と作動と実質的に同じである。確実な記載における明確化のために、システム１００と同じ構成要素の参照番号には同じ番号を付するが、図示の実施の形態の４００番台においてこれらの構成要素の機能と作動の説明は繰り返さない。図４にもっともよく示されているように、システム４００は図１の計算機器１１２の構成要素と作動とほぼ同じ計算機器４１２からなる計測機器４０８を含んでいる。計測機器４０８は、更に、センサーやプローブなどの少なくとも一つの計測機器４１４を含んでおり、資産４０４の一又はそれ以上のパラメータを計測する。ある実施の形態において、計測機器は熱画像システムである。計測機器４０８はネットワーク４１６を介して保守サービスプロバイダー４２４と連結されうると共に、保守サービスプロバイダー４２４との通信を可能にするトランシーバー４２１を有する。従って、システム１００のように計算機器と保守サービスプロバイダーの間に保守データを提供とするよりも、システム４００においては、保守データは直接計測機器４０８と保守サービスプロバイダー４２４の間に提供される。
【００５３】
本開示事項の各種の原理、代表的な実施の形態、動作モードが上記の説明に記載された。しかしながら、保護されるように意図された本開示事項の各側面は、開示された特定の実施の形態に限定されるように解されるべきではない。更に、ここに開示された各実施の形態は制限的あるよりかむしろ例示として考えられるべきである。各種の変化や変更が本開示事項の精神を逸脱しない限り、他の及び採用された等価物により成されうることは明らかである。
【００５４】
独占的所有権又は権利が主張される本発明の実施の形態は、以下のように定義される。
【図１】
2014529730.tif 000003
【図２】
2014529730.tif 000004
【図３】
2014529730.tif 000005
【図４】
2014529730.tif 000006
【図５】
2014529730.tif 000007
【図６】
2014529730.tif 000008
【図７Ａ】
2014529730.tif 000009
【図７Ｂ】
2014529730.tif 000010
【図８】
2014529730.tif 000011
【図９】
2014529730.tif 000012
【図１０】
2014529730.tif 000013
【図１１】
2014529730.tif 000014
【図１２】
2014529730.tif 000015
【図１３】
2014529730.tif 000016
【図１４】
2014529730.tif 000017
【図１５】
2014529730.tif 000018
【図１６】
2014529730.tif 000019
【図１７】
2014529730.tif 000020
【図１８】
2014529730.tif 000021
【図１９】
2014529730.tif 000022
【図２０】
2014529730.tif 000023
【国際調査報告】
2014529730.tif 000024
2014529730.tif 000025